(57)【要約】【課題】地すべり防止方法の一つである、水抜きボーリングに回収された地下水の、地山への浸透防止方法。【解決手段】水抜きパイプの外側へ、伸縮性のフィルターを２重に被せ、フィルターの両端をバンドで固定し、フィルターの間に薬液注入用パイプ入れ、水抜きパイプとボーリング孔との間に薬液が漏れないように込め物をする。そして、水や２液で反応膨張する薬液を、ポンプで注入パイプを介して、フィルターの間に送る。【選択図】　　　　　図６
2004036361.tif 000002
【特許請求の範囲】
【請求項１】
水抜きパイプ（６）の外側に伸縮性に富むフィルター（１１）を任意の位置まで２重に被せ、フィルター（１１）の先端をバンド（１３）で固定する。その内側と外側フィルター（１１）の間に、注入パイプ（１２）を固定バンド（１３）の手前まで入れる。フィルター（１１）を被せた水抜きパイプ（６）をボーリング孔（５）内へ挿入し、口元部のパイプ（６）とボーリング孔（５）との間に、薬液（１５）が漏れないようにウェス等の込め物（１４）をする。
【請求項２】
ポンプで膨張性薬液（１５）を、注入パイプ（１２）を介してフィルター（１１）の先端へ送り、注入の様子をみながら注入パイプ（１２）を徐々に引き抜き、口元まで膨張した薬液（１５）を充填し、地下水の地山浸透防止用導水樋（１７）を、ボーリング孔（５）と水抜きパイプ（６）の間に形成する方法。
【発明の詳細な説明】
【０００１】
【発明の属する技術分野】
本発明は、地すべり等の防止方法の一つである、水抜きボーリングの排水量のアップに関する。
【０００２】
【従来の技術】
水抜きボーリングは、地すべり等の防止方法として、地すべりの規模を問わず、多くの場所で採用され、本工法の対策箇所も多くある。しかし、水抜きボーリングには、まだ解決されていない課題が残されている。その課題とは、水抜きボーリングを実施しても、地下水があまり排出されず、地下水位が低下しないことである。つまり、水抜きボーリング本来の目的が達せられていない。それは、地すべりの安全性の面から非常に由々しき問題である。
【０００３】
原因は図１・図２で示すように、地下水位（９−１）の高い区間で、一度、パイプのストレーナー（７）から水抜きパイプ（６）内に入った地下水（８）は、こんどは、地表近くの地山（２）間隙率が高く地下水位（９−１）の低い区間で、パイプ（６）のストレーナー（７）からボーリング孔（５）へ逃げ、そのボーリング孔（５）の底から地山（２）へ浸透する。その要因は、図２で示すように、ボーリングの掘削口径と水抜きパイプとの空隙率は約５倍と非常に大きいので、地下水（８）は、水抜きパイプ（６）の内を流れず、パイプ（６）の脇や底を流れて、間隙率の高い地山（２）へ浸透する。
【０００４】
上記の結果、図３に示すように孔口付近の地下水位が上昇し、崩壊が起こり、それが地すべりの再活動を招く。
これまで、計画された斜面の安全率を確保するため、水抜きボーリングを含めた、地すべり防止工事を追加し補っていた。その結果工事費を膨大にすることになり、非常に不経済なことになっている。
【０００５】
【発明が解決しようとする課題】
これまで、上記課題を解決する方法として、次の対応策をとってきた。一つは、水抜きパイプの外側へ、一回り以上太いサヤ管と称するパイプを挿入し、地山へ浸透する前に地下水をサヤ管に回収し、パイプ口元から排出する。二つは、ボーリング孔口から、地下水が確認できる位置まで無孔パイプ（ストレーナー無し）にして、無孔部の先端に水と接触すると膨張するゴムを巻付け固定し、ボーリング孔へ挿入する。すると、ボーリング孔の底を流れる地下水に膨張性ゴムは接触反応し、パイプの周りで膨張広がって、ボーリング孔壁に密着する。そして、流れでてくる地下水は遮水されダムアップする。ダムアップされた地下水は、ストレーナーからパイプ内に入り、パイプ内を勾配の低い口元側に流れ、パイプ口元から全量排出される。三つは、ストレーナーをパイプの両脇と上の３方向にだけ開け、そのパイプ両脇のストレーナー部へ溝をパイプ延長方向に切り込み、ボーリング孔へ挿入する。すると、ボーリング孔の天井からパイプに落ちる地下水は、両脇に切り込まれた溝へ、パイプの表面を辿り流れ入り、その溝に沿って地下水は流れ、途中に開けられたストレーナーからパイプの中に入り、最終的にパイプ口元から排出される。
【０００６】
しかし、サヤ管方式は、ボーリング孔壁が砂礫層のような崩壊し易い地山であると、パイプの挿入は難しい。たとえ、サヤ管が挿入できたとしても、ボーリング孔とには隙間があり、地下水はパイプの周りやボーリング孔の底をながれて、全量は回収できない。膨張性ゴム方式は、ボーリングを掘削してから、ストレーナーや膨張性ゴムの巻く位置を決める必要があり実用的はない。さらに、膨張性ゴムを巻くと太くなり、挿入の際に色々トラブルが多い。切り溝方式は、回収できる地下水は、パイプ両脇の溝の範囲（パイプの直径の範囲）に天井から落ちるものだけであり、水抜きパイプの周りやボーリング孔の底を流れる地下水を回収することはできない。
【０００７】
【課題を解決するための手段】
本発明は、これまで回収できなかった、水抜きパイプの周りやボーリング孔の底を流れる、地下水を完全なまでに回収し、地すべりの安全水位を満足できる、経済的な排水技術を提供するものである。
【０００８】
本発明のかかえる課題を色々考えた。そして、まず、水抜きボーリングがおかれている環境条件を整理すると、次のとおりである。地下水が浸透する位置は、各地すべり，施工箇所毎，ボーリング毎、そして、季節的変化もある。地下水を取り入れるストレーナーは、一般に水抜きパイプに、約φ５ｍｍの穴を１０ｃｍ間隔千鳥４方向に開けたものを挿入するが、その挿入するパイプの種類は、全長ストレーナーであるか、孔口から２．０〜４．０ｍ区間は無孔で、残りがストレーナーであることが多い。
【０００９】
したがって、上記の環境条件を補い地下水を、すべて口元から排出するには、水抜きパイプの周りに、長大の樋構造を任意の区間へ形成し、地下水を遮水ダムアップして、ストレーナーからパイプ内に地下水を入れ乗せることが必要である。
【００１０】
そこで、水抜きパイプ（６）の外側へ、伸縮性のフィルター（１１）を２重に被せ、フィルター（１１）の両端をバンド（１３）で固定し、フィルター（１１）の間に薬液注入用パイプ（１２）入れ、水抜きパイプ（６）とボーリング孔（６）との間に薬液（１５）が漏れないように込め物（１４）をする。そして、地下水（８）や２液で反応膨張する薬液（１５）を、ポンプで注入パイプ（１２）を介して、フィルター（１１）の間に送る。
【００１１】
【作用】
ポンプでフィルター（１１）の間に注入した薬液は、ボーリングの底を流れる地下水（８）と接触膨張し、外側のフィルター（１１−２）を押し広げながら、適度に薬液がフィルター（１１−２）から滲みでて孔壁に蜜着固化する。内側のフィルター（１１−１）は、水抜きパイプ（６）の外周へ、適度に薬液がフィルター（１１−１）から滲みでて蜜着する。しかし、ストレーナー（７）からは、穴が小さく、薬液は粘性があり、また、地下水（８）や２薬液同士とが反応固化するので、パイプ（６）内に入ることはない。その結果、ストレーナー（７）が開けられた水抜きパイプ（６）の周囲には、樋（１７）が形成され地下水（８）は遮水されダムアップし、ストレーナー（７）からパイプ（６）内に入り、薬液の膨張で形成された樋（１７）の中を流れ、パイプ（６）の口元から地表へ排出される。
【発明の実施の形態】
【００１２】
本発明は、前記した課題を解決したものであって、次のとおりである。導水樋は、水抜きパイプ（６）の外側に伸縮性に富むフィルター（１１）を任意の位置まで２重に被せ、フィルター（１１）の先端をバンド（１３）で固定する。その内側と外側フィルター（１１）の間に、注入パイプ（１２）を固定バンド（１３）の手前まで入れる。フィルター（１１）を被せた水抜きパイプ（６）をボーリング孔（５）内へ挿入し、口元部のパイプ（６）とボーリング孔（５）との間に、薬液（１５）が漏れないようにウェス等の込め物（１４）をする。次に、ポンプで膨張性薬液（１５）を、注入パイプ（１２）を介してフィルター（１１）の先端へ送り、図６に示すように、注入の様子をみながら注入パイプ（１２）を徐々に引き抜き、口元まで膨張した薬液（１５）を充填し、地下水の地山浸透防止用導水樋（１７）を、ボーリング孔（５）と水抜きパイプ（６）の間に形成する方法。なお、フィルターを被せた水抜きパイプ（６）の挿入深さは、ボーリング孔（８）内またはパイプ（９）内に地下水が流れている所までとする。その決定は調査ボーリングの地下水位を測定したり、ボアーホールカメラで確認して決める。また、膨張薬液は水と反応する１液用か、２液反応用のどちらかを使用する。したがって、注入パイプの１液用は１本で２液用は２本必要となる。
【００１３】
【発明の効果】
ポンプでフィルター（１１）の間に注入した薬液（１５）は、ボーリングの底を流れている地下水と接触膨張し、外側のフィルター（１１−２）を押し広げながら、適度に薬液（１５）がフィルター（１１−２）から滲みでて孔壁に蜜着固化する。内側のフィルター（１１−１）は、水抜きパイプ（６）の外周へ、適度に薬液（１５）がフィルター（１１−１）から滲みでて蜜着する。しかし、ストレーナー（７）からは、穴は小さく、薬液（１５）は粘性があり、注入と同時に反応固化するので、パイプ（６）内に入ることはない。その結果、ストレーナー（７）が開けられた水抜きパイプ（６）の周囲には、樋（１７）が形成され地下水は（８）遮水されダムアップし、ストレーナー（７）からパイプ（６）内に入り、薬液の膨張で形成された樋の中を流れ、パイプの口元から地表（１）へ排出（１８）され、地下水位は、図６へ示すように低下（９−３）し、すべり土塊（２）は安定する。また、本発明の場合、一度だけであるが任意の区間へ、注入パイプ（１２）の移動で、導水樋を造ることが可能である。
【図面の簡単な説明】
【図１】水抜きボーリングと水抜きパイプの模式側断面図１
【図２】水抜きボーリングと水抜きパイプの模式正断面図
【図３】地すべり構造模式断面図
【図４】導水用樋構造模式側断面図
ａ．薬液注入前
ｂ．薬液注入後
【図５】導水用樋構造模式正断面図
【図６】導水用樋施工手順図
ａ．薬液注入前
ｂ．薬液注入中
ｃ．薬液注入完了
【符号の説明】
１，地表
２，移動土塊
３，すべり面
４，基盤（不動地盤）
５，ボーリング孔
６，水抜きパイプ
７，ストレーナー
８，地下水
９，地下水位
９−１，水抜きボーリング施工前の地下水位
９−２，水抜きボーリング施工後の地下水位
９−３，導水樋施工後の地下水位
１０，浸透水
１１，フィルター
１１−１，内側フィルター
１１−２，外側フィルター
１２，注入パイプ
１３，バンド
１４，込め物
１５，膨張性薬液
１６，活動土塊
１７，導水用樋
１８，排出される地下水
【図１】
2004036361.tif 000003
【図２】
2004036361.tif 000004
【図３】
2004036361.tif 000005
【図４】
2004036361.tif 000006
【図５】
2004036361.tif 000007
【図６】
2004036361.tif 000008
【図７】
2004036361.tif 000009
【手続補正書】
【提出日】平成14年9月25日(2002.9.25)
【手続補正１】
【補正対象書類名】明細書
【補正対象項目名】図７
【補正方法】追加
【補正の内容】
【図７】導水用樋施工後の地下水位変化模式図